(57)【特許請求の範囲】
【請求項１】
分電盤の内部に配設された分岐ブレーカの一次側に設けるための一次送り用端子台であって、絶縁体で形成した本体に、一端に前記分岐ブレーカの一次側端子に接続する挿入片を有し、他端に電線を接続するために同極に二個の端子部を有する導体を設けて成り、収納ケースの一方の端部に一次側端子及び二次側端子が設けられ、他方の端部に主幹バーから分岐した分岐バーを収納するための収納部が設けられた一次送り用分岐ブレーカに設けたことを特徴とする一次送り用端子台。
【発明の詳細な説明】
【０００１】
【産業上の利用分野】
本発明は、主幹ブレーカの一次側端子から分岐ブレーカに一次送り結線をする際の一次送り用端子台の構造に関する。
【０００２】
【従来の技術】
従来、図５に示すように主幹ブレーカ５１と複数の分岐ブレーカ５２，５２，・・・で構成された単相三線式分電盤５３は、通常、主幹ブレーカ５１の二次側端子５４，５４，５４から銅バー結線により分岐ブレーカ５２の一次側端子５５，５５へ接続されている。しかし、主幹電路を保護する主幹ブレーカ５１がトリップした場合、主幹ブレーカ５１の二次側端子５４，５４，５４に接続されている分岐ブレーカ５２に電源が供給されなくなるため、非常用電源回路等においては、主幹ブレーカ５１の一次側端子５６，５６，５６から一次送りの対象となる分岐ブレーカ５２ａの一次側端子５５，５５に一次送り電線５７，５７を接続して電源を供給するようにしている。
【０００３】
分岐ブレーカ５２は主幹バー５８，５８，５８から分岐した一回路に二本の分岐バー５９，５９で銅バー結線された分岐ブレーカ群として構成されており、最近では組み立て作業性を向上させるために分岐バー５９が主幹バー５８と一体に形成されている場合もある。このような単相三線式分電盤５３で一次送り結線を行う場合、図６に示すように一次送りの対象となる分岐ブレーカ５２ａの一次側に設けられた主幹バー５８，５８と一体に形成している分岐バー５９，５９を切断し、主幹ブレーカ５１の一次側端子５６，５６から分岐ブレーカ５２ａの回路ごとに電線結線している。
【０００４】
また、分岐ブレーカの一次送り回路が多回路になる場合、主幹ブレーカから分岐ブレーカ毎に配線すると、主幹ブレーカに多数の電線を接続しなければならないが、主幹ブレーカの一次側端子に多数の電線は接続できないため、図７に示すように第一の分岐ブレーカ群６１と第二の分岐ブレーカ群６２を並設し、第一の分岐ブレーカ群６１は主幹ブレーカ６３の二次側端子６４，６４，６４から銅バー結線され、第二の分岐ブレーカ群６２は主幹ブレーカ６３の一次側端子６５，６５，６５から電線６６，６６，６６により第二の分岐ブレーカ群６２の主幹バー６７，６７，６７に接続している。また、分岐ブレーカ５２ａの一次側端子５５，５５間で送り配線を行い、一次送り回路を多回路構成している。
【０００５】
【発明が解決しようとする課題】
上記従来の一次送り構造では、一次送り結線をするためには一次送りの対象となる分岐ブレーカ５２ａを一旦取り外して分岐バー５９，５９を切断しなければならず、また、分岐ブレーカ５２ａの一次側には主幹バー５８，５８，５８が配設されているため、一次送りの結線作業をするスペースが非常に狭く、作業性が悪いという欠点があった。そのため、一次送り回路は分岐ブレーカ群の四隅の四回路に限定されることも多かった。また、分岐ブレーカの一次側端子間で送り配線をする場合、図８に示すように分岐ブレーカ５２ａの端子形状が箱形端子であるため、直径の異なる単線電線５７ａ，５７ｂを接続すると、小径の電線５７ａが堅固に結線されず、外れてしまうという欠点があった。
【０００６】
また、第一の分岐ブレーカ群６１と第二の分岐ブレーカ群６２を並設する場合、第一の分岐ブレーカ群６１と第二のブレーカ群６２とを接続する電線６６の直径が大きくなるため、作業が困難であり、第一のブレーカ群６１と第二のブレーカ群６２の間に第二の分岐ブレーカ群６２の主幹バー６７，６７，６７に電線結線するためのガタースペースＬを必要とするため、分電盤の寸法が大型化するという欠点があった。
【０００７】
【課題を解決するための手段】
上記従来の一次送り構造の問題点に鑑み、本発明の目的は、一次送り回路が多回路構成された分電盤において、一次送り結線の作業が容易であり、且つ、結線の信頼性が高い一次送り用端子台を提供するもので、その構造は、分電盤の内部に配設された分岐ブレーカの一次側に設けるための一次送り用端子台であって、絶縁体で形成した本体に、一端に分岐ブレーカの一次側端子に接続する挿入片を有し、他端に電線を接続するために同極に二個の端子部を有する導体を設けて成り、収納ケースの一方の端部に一次側端子及び二次側端子が設けられ、他方の端部に主幹バーから分岐した分岐バーを収納するための収納部が設けられた一次送り用分岐ブレーカに設けたことである。
【０００８】
【発明の実施の形態】
請求項１に記載の一次送り用端子台によれば、分電盤の内部に配設された分岐ブレーカの一次側に設けるための一次送り用端子台であって、絶縁体で形成した本体に、一端に分岐ブレーカの一次側端子に接続する挿入片を有し、他端に電線を接続するために同極に二個の端子部を有する導体を設けて成り、収納ケースの一方の端部に一次側端子及び二次側端子が設けられ、他方の端部に主幹バーから分岐した分岐バーを収納するための収納部が設けられた一次送り用分岐ブレーカに設けたことにより、一次送り電線を接続する場合に、一次送り電線を一次送り用端子台の別々の端子部に接続することで、一次送り回路が多回路になる場合でも、分岐ブレーカから分岐ブレーカに送り配線をすることができるため、一次送り用の分岐ブレーカ群を設ける必要がなく、分電盤を大きくすることがない。また、分岐バーの切断作業を必要とせず、更に一次送り用分岐ブレーカの設置場所が限定されることなく一次送り回路を形成することができる。
【０００９】
【実施例】
本発明に係る一次送り用端子台の実施例を図１〜図４の添付図面に基づいて説明する。
【００１０】
単相三線式分電盤１は内部に主幹ブレーカ２と複数の分岐ブレーカ３，３，・・・を配設し、主幹ブレーカ２の二次側端子４，４，４に接続された三本の主幹バー５，５，５と主幹バー５から分岐した一回路に二本の分岐バー６，６により分岐ブレーカ３の一次側端子７，７に配線している。また、一次送り結線のために設けられた一次送り用分岐ブレーカ８は、収納ケース９の一方の端部に一次側端子１０，１０及び二次側端子１１，１１が設けられ、他方の端部に分岐バー６，６を収納するための収納部１２，１２を形成している。収納部１２，１２は一次送り用分岐ブレーカ８内部と絶縁されているため、分岐バー６，６を切断することなく一次送り用分岐ブレーカ８を設置でき、一次送り用分岐ブレーカ８は主幹ブレーカ２の二次側に接続される分岐ブレーカ３に隣接して配置される。
【００１１】
一次送り用端子台１３は、絶縁体で形成された本体１４と、並設された一対の導体１５，１５とで構成され、夫々の導体１５，１５は一端に一次送り用分岐ブレーカ８の一次側端子１０の挿入孔１６に挿入接続するための挿入片１７が形成され、他端に二個の端子部１８ａ，１８ｂが形成されている。また、導体１５は端子部１８ａ，１８ｂ間でクランク状に折曲されて第一の端子部１８ａと第二の端子部１８ｂの間に段差が設けられ、第一の端子部１８ａ及び第二の端子部１８ｂには端子ねじ１９ａ，１９ｂが設けられている。本体１４は、一次送り用分岐ブレーカ８の幅寸法と略同一の幅寸法で、導体１５を支持するために階段状に形成され、導体１５，１５の両端に隔壁２０，２０，２０を形成して導体１５，１５を隔離している。
【００１２】
一次送り用端子台１３は、一次送り用分岐ブレーカ８の一次側端子１０，１０の挿入孔１６，１６に一次送り用端子台１３の挿入片１７，１７を挿入して螺着固定される。そして一次送り結線するには主幹ブレーカ２の一次側端子１０，１０に接続された一次送り電線２１ａ，２１ａを一次送り用端子台１３の一方の端子部１８ａ，１８ａに端子ねじ１９ａ，１９ａにより螺着固定する。
【００１３】
一次送り用分岐ブレーカ８が複数個設置されている場合、送り配線により一次送りを行う一次送り用分岐ブレーカ８に一次送り用端子台１３を備える。一次送り電線２１ｂ，２１ｂの一端は、主幹ブレーカ８から一次送りされた一次送り用端子台１３の他方の端子部１８ｂ，１８ｂに端子ねじ１９ｂ，１９ｂにより螺着固定し、他端は、他の一次送り用端子台１３の一方の端子部１８ａ，１８ａに端子ねじ１９ａ，１９ａにより螺着固定する。
【００１４】
更に、送り配線により一次送りを行う場合、一次送り用端子台１３の他方の端子部１８ｂ，１８ｂに一次送り電線２１ｃ，２１ｃの一端を接続し、他端を他の一次送り用分岐ブレーカ８の一次側端子１０，１０に接続して一次送り結線をする。一次送り用端子台１３は、各極の導体１５，１５に第一の端子部１８ａと第二の端子部１８ｂを設けているため、直径の異なる単線電線を一次送り電線２１ａ，２１ｂとして接続する場合でも第一の端子部１８ａと第二の端子部１８ｂに分けて接続することにより、一次送り電線２１ａ，２１ｂを堅固に固定することができる。
【００１５】
尚、本実施例において一次送り用端子台の端子部の構造に限定はなく、例えば図３に示すように第一の端子部３１，３１と第二の端子部３２，３２を左右にずらして前後方向に設けたり、また、図４に示すように第一の端子部４１，４１と第二の端子部４２，４２をねじなし端子で形成する等、一次送り用端子台に端子部が二個あれば良く、端子部の構造は本発明の趣旨を逸脱しない範囲で適宜変更可能である。
【００１６】
また、一次送り用端子台１３を一次送り用分岐ブレーカ８に設けたが、通常の分岐ブレーカ３の一次側にスペースがあれば一次送り用端子台１３を設けることができる。
【００１７】
【発明の効果】
以上のように本発明に係る一次送り用端子台は、分電盤の内部に配設された分岐ブレーカの一次側に設けるための一次送り用端子台であって、絶縁体で形成した本体に、一端に分岐ブレーカの一次側端子に接続する挿入片を有し、他端に電線を接続するために同極に二個の端子部を有する導体を設けて成り、収納ケースの一方の端部に一次側端子及び二次側端子が設けられ、他方の端部に主幹バーから分岐した分岐バーを収納するための収納部が設けられた一次送り用分岐ブレーカに設けたことにより、一次送り電線を接続する場合に、一次送り電線を一次送り用端子台の別々の端子部に接続することで、一次送り回路が多回路になる場合でも、分岐ブレーカから分岐ブレーカに送り配線をすることができるため、一次送り用の分岐ブレーカ群を設ける必要がなく、分電盤を大きくすることがない。また、分岐バーの切断作業を必要とせず、更に一次送り用分岐ブレーカの設置場所が限定されることなく一次送り回路を形成することができるという優れた効果を有するものである。
【図面の簡単な説明】
【図１】  本発明に係る分電盤を示す正面図である。
【図２】  本発明に係る一次送り用端子台を一次送り用分岐ブレーカに取り付ける様子を示す斜視図である。
【図３】  本発明に係る一次送り用端子台の変形実施例を示す正面図である。
【図４】  本発明に係る一次送り用端子台の変形実施例を示す斜視図である。
【図５】  従来の分電盤を示す正面図である。
【図６】  従来の分岐バーの切断方法を示す斜視図である。
【図７】  従来の分電盤を示す正面図である。
【図８】  従来の分岐ブレーカの端子形状を示す平面図である。
【符号の説明】
２      主幹ブレーカ
８      一次送り用分岐ブレーカ
１０    一次側端子
１３    一次送り用端子台
１４    本体
１５    導体
１７    挿入片
１８ａ  端子部
１８ｂ  端子部
１９ａ  端子ねじ
１９ｂ  端子ねじ
２０    隔壁
２１ａ  一次送り電線
２１ｂ  一次送り電線
２１ｃ  一次送り電線
【図１】
0004364371.tif 000002
【図２】
0004364371.tif 000003
【図３】
0004364371.tif 000004
【図４】
0004364371.tif 000005
【図５】
0004364371.tif 000006
【図６】
0004364371.tif 000007
【図７】
0004364371.tif 000008
【図８】
0004364371.tif 000009